(57)【特許請求の範囲】
【請求項１】
カラオケ業者によって管理される第１サーバ装置及び前記カラオケ業者以外の業者によって管理される第２サーバ装置と通信可能なカラオケ装置と、前記第１サーバ装置と、を含むカラオケシステムであって、
前記第１サーバ装置は、同じ楽曲に関してアップロードされた単位投稿情報に基づいて形成された複合投稿情報を記憶し、
前記カラオケ装置は、
前記第１サーバ装置から受信した複合投稿情報と、当該複合投稿情報に対応する楽曲情報を再生する再生処理と、
前記再生処理に同期して、撮像装置から入力される映像情報を録画するとともに、マイクロホンから入力される音声情報を録音して単位投稿情報を形成する投稿情報形成処理と、
前記投稿情報形成処理で形成された単位投稿情報の送信先を決定する決定処理と、
前記決定処理において、前記第１サーバ装置が送信先に決定された場合、前記再生処理で使用した複合投稿情報の識別情報と、前記投稿情報形成処理で形成した単位投稿情報とを含む第１投稿情報を、前記第１サーバ装置に送信する第１送信処理と、
前記決定処理において、前記第２サーバ装置が決定された場合、前記再生処理で使用した複合投稿情報及び複合投稿情報の識別情報を含まず、前記投稿情報形成処理で形成した単位投稿情報を含む第２投稿情報を、前記第２サーバ装置に送信する第２送信処理と、を実行する
カラオケシステム。
【請求項２】
前記カラオケ装置は、携帯端末と通信可能とし、
前記再生処理は、複合投稿情報と、楽曲情報に加え、携帯端末に記憶するユーザコンテンツを読み出して再生し、
前記第２送信処理は、第２投稿情報に、再生処理で使用したユーザコンテンツを含める
請求項１に記載のカラオケシステム。
【請求項３】
前記カラオケ装置は、前記再生処理で使用した単位投稿情報とユーザコンテンツを合成して、第２投稿情報を形成する第２投稿情報形成処理を実行する
請求項２に記載のカラオケシステム。
【請求項４】
前記決定処理において、単位投稿情報の送信先はユーザが選択可能とする
請求項１から請求項３の何れか１項に記載のカラオケシステム。
【請求項５】
カラオケ業者によって管理される第１サーバ装置、及び、前記カラオケ業者以外の業者によって管理される第２サーバ装置と通信可能なカラオケ装置であって、
前記第１サーバ装置は、同じ楽曲に関してアップロードされた単位投稿情報に基づいて形成された複合投稿情報を記憶し、
前記カラオケ装置は、
前記第１サーバ装置から受信した複合投稿情報と、当該複合投稿情報に対応する楽曲情報を再生する再生処理と、
前記再生処理に同期して、撮像装置から入力される映像情報を録画するとともに、マイクロホンから入力される音声情報を録音して単位投稿情報を形成する投稿情報形成処理と、
前記投稿情報形成処理で形成された単位投稿情報の送信先を決定する決定処理と、
前記決定処理において、前記第１サーバ装置が送信先に決定された場合、前記再生処理で使用した複合投稿情報の識別情報と、前記投稿情報形成処理で形成した単位投稿情報とを含む第１投稿情報を、前記第１サーバ装置に送信する第１送信処理と、
前記決定処理において、前記第２サーバ装置が決定された場合、前記再生処理で使用した複合投稿情報及び複合投稿情報の識別情報を含まず、前記投稿情報形成処理で形成した単位投稿情報を含む第２投稿情報を、前記第２サーバ装置に送信する第２送信処理と、を実行する
カラオケ装置。
【発明の詳細な説明】
【技術分野】
【０００１】
本発明は、サーバ装置と通信接続されるカラオケ装置、並びに、サーバ装置とカラオケ装置を含んだカラオケシステムに関するものである。特に、投稿情報を投稿可能なカラオケシステム及びカラオケ装置に関する。
【背景技術】
【０００２】
従来、楽曲の演奏に合わせて歌唱を楽しむカラオケ装置が知られている。従来のカラオケ装置は、同じ場所に居合わせた人と一緒に歌唱を楽しむものであったが、通信インフラなどの周辺技術が整った現在、通信回線を介してその場にいない相手とも一緒に歌唱を楽しむサービスが提供されている。
【０００３】
特許文献１にはこのような投稿サービスを利用した歌唱動画データの取得システムが開示されている。カラオケ装置で録音、録画した歌唱動画データは、ホスト装置に送信され、再度カラオケ装置に送信されることで、以前に録音、録画された歌唱者の音声、映像とともに歌唱を楽しむことが可能である。この特許文献１に開示される歌唱動画データの取得システムでは、ホスト装置は、合成回数情報を参照して背景映像データの表示レイアウトを決定している。このような構成を採用することで、合成対象となる映像の数に適した表示レイアウトとすることを可能としている。
【先行技術文献】
【特許文献】
【０００４】
【特許文献１】特開２０１４−１０９６５８号公報
【発明の概要】
【発明が解決しようとする課題】
【０００５】
この特許文献１に開示されるような投稿サービスにおいて使用されるサーバ装置は、カラオケシステムを管理・運営する業者によって提供されることが通常である。したがって、従来の投稿サービスでは、ユーザは、予め設定されたサーバ装置を使用するものであった。ところで、現在、インターネット上では、各社により、動画投稿を可能とするサービスが提供されている。また、個人が大容量のファイルサーバ装置を使用することも可能になっている。カラオケの投稿サービスを使用するユーザは、カラオケ業者によって管理されているサーバ装置のみならず、このような他社によって運営される動画投稿サービス、あるいは、ファイルサーバ装置に、カラオケの場で録画したユーザの映像を保存したいという要求が発生することが考えられる。
【０００６】
しかしながら、カラオケにおける投稿サービスでは、他のユーザの映像や音声とコラボレーションを行うため、カラオケ業者によって管理されるサーバ装置と同様に、投稿情報を送信することは困難である。すなわち、他のユーザの許可無く、他社によって運営されるサーバ装置に投稿情報を送信することはできない。
【課題を解決するための手段】
【０００７】
上述する課題を解決するため、本発明に係るカラオケシステムは、以下の構成を採用するものである。
カラオケ業者によって管理される第１サーバ装置及び前記カラオケ業者以外の業者によって管理される第２サーバ装置と通信可能なカラオケ装置と、前記第１サーバ装置と、を含むカラオケシステムであって、
前記第１サーバ装置は、同じ楽曲に関してアップロードされた単位投稿情報に基づいて形成された複合投稿情報を記憶し、
前記カラオケ装置は、
前記第１サーバ装置から受信した複合投稿情報と、当該複合投稿情報に対応する楽曲情報を再生する再生処理と、
前記再生処理に同期して、撮像装置から入力される映像情報を録画するとともに、マイクロホンから入力される音声情報を録音して単位投稿情報を形成する投稿情報形成処理と、
前記投稿情報形成処理で形成された単位投稿情報の送信先を決定する決定処理と、
前記決定処理において、前記第１サーバ装置が送信先に決定された場合、前記再生処理で使用した複合投稿情報の識別情報と、前記投稿情報形成処理で形成した単位投稿情報とを含む第１投稿情報を、前記第１サーバ装置に送信する第１送信処理と、
前記決定処理において、前記第２サーバ装置が決定された場合、前記再生処理で使用した複合投稿情報及び複合投稿情報の識別情報を含まず、前記投稿情報形成処理で形成した単位投稿情報を含む第２投稿情報を、前記第２サーバ装置に送信する第２送信処理と、を実行する。
【０００８】
さらに本発明に係るカラオケシステムにおいて、
前記カラオケ装置は、携帯端末と通信可能とし、
前記再生処理は、複合投稿情報と、楽曲情報に加え、携帯端末に記憶するユーザコンテンツを読み出して再生し、
前記第２送信処理は、第２投稿情報に、再生処理で使用したユーザコンテンツを含める。
【０００９】
さらに本発明に係るカラオケシステムにおいて、
前記カラオケ装置は、前記再生処理で使用した単位投稿情報とユーザコンテンツを合成して、第２投稿情報を形成する第２投稿情報形成処理を実行する。
【００１０】
さらに本発明に係るカラオケシステムは、
前記決定処理において、単位投稿情報の送信先はユーザが選択可能とする。
【００１１】
また本発明に係るカラオケ装置は、
カラオケ業者によって管理される第１サーバ装置、及び、前記カラオケ業者以外の業者によって管理される第２サーバ装置と通信可能なカラオケ装置であって、
前記第１サーバ装置は、同じ楽曲に関してアップロードされた単位投稿情報に基づいて形成された複合投稿情報を記憶し、
前記カラオケ装置は、
前記第１サーバ装置から受信した複合投稿情報と、当該複合投稿情報に対応する楽曲情報を再生する再生処理と、
前記再生処理に同期して、撮像装置から入力される映像情報を録画するとともに、マイクロホンから入力される音声情報を録音して単位投稿情報を形成する投稿情報形成処理と、
前記投稿情報形成処理で形成された単位投稿情報の送信先を決定する決定処理と、
前記決定処理において、前記第１サーバ装置が送信先に決定された場合、前記再生処理で使用した複合投稿情報の識別情報と、前記投稿情報形成処理で形成した単位投稿情報とを含む第１投稿情報を、前記第１サーバ装置に送信する第１送信処理と、
前記決定処理において、前記第２サーバ装置が決定された場合、前記再生処理で使用した複合投稿情報及び複合投稿情報の識別情報を含まず、前記投稿情報形成処理で形成した単位投稿情報を含む第２投稿情報を、前記第２サーバ装置に送信する第２送信処理と、を実行する。
【発明の効果】
【００１２】
本発明に係るカラオケシステム、カラオケ装置は、投稿情報の送信先として第１サーバ装置と、第２サーバ装置とを使用することが可能である。その際、第１サーバ装置に対しては、複合録画情報の識別情報と、投稿情報形成処理で形成した単位投稿情報とを含む第１投稿情報を送信することで、第１サーバ装置において、次に使用する複合投稿情報を形成することが可能となる。また、第２サーバ装置に対しては、投稿情報形成処理で形成した単位投稿情報を含む第２投稿情報を送信する、すなわち、再生処理で使用した複合投稿情報に関する情報を送信せず、単位投稿情報のみを送信することで、歌唱時にコラボレーションを行った他のユーザに関する情報を外部に公開することがない。
【００１３】
さらに本発明に係るカラオケシステムでは、歌唱するユーザが携帯端末に所持するユーザコンテンツを使用して投稿情報を形成することが可能となっている。
【００１４】
さらに本発明に係るカラオケシステムでは、カラオケ装置において単位投稿情報とユーザコンテンツを合成して第２投稿情報を形成することとしている。第２サーバ装置では、複数のコンテンツを合成する機能を有していないことが想定される。本発明に係るカラオケシステムでは、カラオケ装置側で、単位投稿情報とユーザコンテンツを合成することで、コンテンツ合成の機能を有していない第２サーバ装置に対しても、合成された１つの作品として送信することが可能となっている。
【００１５】
さらに本発明に係るカラオケシステムでは、投稿情報形成処理で形成された単位投稿情報の送信先をユーザ自身で選択可能としている。ユーザは、自己の利用形態に応じて第１サーバ装置、第２サーバ装置、あるいは、第１サーバ装置と第２サーバ装置の両方を送信先として選択することが可能である。
【図面の簡単な説明】
【００１６】
【図１】本発明の実施形態に係るカラオケ投稿の概要を説明する図
【図２】本発明の実施形態に係るカラオケシステムの構成を示す図
【図３】携帯端末の構成を示す図
【図４】カラオケ管理システムにおける対応付け処理を示すフロー図
【図５】カラオケ管理システムにおける対応付け処理を示す模式図
【図６】カラオケ管理システムにおける遠隔操作処理を示すフロー図
【図７】カラオケ管理システムにおける遠隔操作処理を示す模式図
【図８】携帯端末に表示された楽曲確認画面を示す図
【図９】カラオケ装置で実行されるメイン処理（その１）を示すフロー図
【図１０】カラオケ装置で実行されるメイン処理（その２）を示すフロー図
【図１１】歌唱者撮像時のモニタの様子を示す図
【図１２】第１サーバ装置に記憶される複合投稿情報の再生画面を示す図
【図１３】第２サーバ装置に記憶される複合投稿情報の再生画面を示す図
【図１４】投稿時におけるカラオケ装置と周囲構成の処理例を示すフロー図
【図１５】第２サーバ装置への投稿に関する変形例を示すフロー図
【発明を実施するための形態】
【００１７】
本実施形態のカラオケ装置は、カラオケにおいてデュエットや合唱などを楽しむことのできるカラオケ投稿システムに利用されることとしている。図１は、このカラオケ投稿システムの概要を説明するための図である。この図を用いてカラオケ投稿の流れを簡単に説明する。ここでは、歌唱音声の記録を行う場合について説明するが、実際には、カメラにて記録された映像が伴うこととなる。
【００１８】
まず、歌唱者は、カラオケボックスなど、カラオケシステムが設置される場所で演奏にあわせた歌唱が行われ歌唱音声が記録される（ａ）。カラオケシステムは、カラオケ装置（別称「コマンダ」）、カラオケ装置から出力される歌詞映像、背景映像が表示されるモニタ、操作者からの操作をカラオケ装置に伝えるリモコン装置にて構成されている。歌唱音声は、カラオケ装置に内蔵されたハードディスクなどの記録手段に第１投稿情報として記録される。
【００１９】
歌唱者は、記録された歌唱音声を確認するため、第１投稿情報の再生を行うこともできる（ｂ）。歌唱者が希望する場合には、第１投稿情報は、第１サーバ装置上にアップロードされ、インターネットを介して公開することが可能となる（ｃ）。第１サーバ装置は、カラオケ業者によって管理、運営されるサーバ装置であって、後に登場するカラオケ業者以外の業者によって管理、運営されるサーバ装置（第２サーバ装置）と分別するため、「第１」という序数を付している。第１サーバ装置で公開された第１投稿情報は、この歌唱者と一緒に歌唱を希望する歌唱者によりカラオケシステムでダウンロードされる（ｄ）。
【００２０】
ダウンロードされた第１投稿情報は、楽曲にあわせて再生することで内容を確認することもできる（ｅ）。ダウンロードされた第１歌唱情報は、楽曲と共にカラオケ装置にて再生され、歌唱者は予め記録された第１歌唱情報とのデュエットを楽しむことができる。さらに、第１歌唱情報と一緒に歌唱を行った歌唱者の歌唱音声は、第２投稿情報としてカラオケ装置に記録される（ｆ）。記録された第２投稿情報は、第１投稿情報、並びに、楽曲と同期して再生することができ、歌唱者は自身の歌唱をデュエット形式で確認することができる（ｇ）。
【００２１】
歌唱者は、新たな投稿として第２投稿情報をサーバ装置にアップロードすることができる。第２投稿情報は、第１投稿情報と併せて再生することができるものであるが、第１サーバ装置には第１投稿情報が保存されているため、第２投稿情報のみが送信される。第２投稿情報には、第１投稿情報と対応付けるため、第１投稿情報の識別情報が付与される（ｈ）。第１サーバ装置は第１投稿情報の識別情報が付与された第２投稿情報を受信することで、（ｆ）における歌唱者は、歌唱時に第１投稿情報を併せて再生し、自身の歌唱音声を記録した第２投稿情報を作成したことが判る。第１投稿情報と第２投稿情報とが、（ａ）における歌唱者と（ｆ）における歌唱者２名のコラボレーションとなる。
【００２２】
第１サーバ装置に保存された第１投稿情報、第２投稿情報は、ユーザからの要請により、ＰＣ（パーソナルコンピュータ）あるいはカラオケシステムにダウンロードされ、第１投稿情報、第２投稿情報、並びに楽曲情報に基づいて複数の歌唱者によるコラボレーションを楽しむことが可能となる（ｉ）。以上、第１投稿情報と第２投稿情報に基づくコラボレーションについて説明したが、（ｄ）、（ｆ）〜（ｈ）を繰り返し行うことで、複数人（２名以上）のコラボレーションが可能となる。
【００２３】
このように本実施形態のカラオケ投稿システムでは、その場に居合わせない相手ともデュエットや合唱を楽しむことができる。ここでは、歌唱音声についてのみ説明したが、本発明に適用する場合には、歌唱音声と一緒にカメラによる撮影、並びに、映像情報の記録がカラオケ装置にて実行されることとなる。
【００２４】
では、歌唱の記録とあわせて、カメラによる撮影を可能とするカラオケシステムの一実施形態について図２を用いて説明する。本実施形態におけるカラオケシステムは、カラオケ装置２（コマンダ）と、リモコン装置１を含んで構成されている。なお、図１に示す例では、１台のカラオケ装置２に対して、リモコン装置１ａとリモコン装置１ｂ、２台のリモコン装置１が使用されている例である。これらリモコン装置１ａ、１ｂの構成は同一であるため、リモコン装置１として説明を行う。カラオケ装置２とリモコン装置１は、ＬＡＮ１００及びアクセスポイント１１０を利用してネットワークを形成するように接続されている。
【００２５】
カラオケボックスなどの店舗に設置されるカラオケ装置２は、楽曲を演奏するための演奏部として音響制御部２５を備えている。また、カラオケ装置２は、ユーザからの各種入力を受け付ける操作部２１を備える。カラオケ装置２は、操作部２１からの入力を解釈してＣＰＵ３０に伝達する操作処理部２２を備える。また、カラオケ装置２は、各種情報を記憶する記憶部としてのハードディスク３２を備える。カラオケ装置２は、ＬＡＮ１００に接続してネットワークに加入する通信手段としてのＬＡＮ通信部２４を備えている。
【００２６】
また、カラオケ装置２は、モニタ４１に対して歌詞映像、背景映像を表示させる映像再生手段を備える。この映像再生手段は、映像情報に基づいて映像を再生する映像再生部２９、再生する映像を一時的に蓄積するビデオＲＡＭ２８、再生された映像に対する歌詞テロップの重畳、映像効果を付与する映像制御部３１を備えて構成される。
【００２７】
さらに、このカラオケ装置２では、外部に接続されるモニタ４１以外に、タッチパネルモニタ３３に対して各種情報を表示することを可能としている。タッチパネルモニタ３３は映像制御部３１から入力された映像情報を表示する表示部３５と、タッチ入力された位置を操作処理部２２に出力するタッチパネル３４が重畳されて構成されている。このタッチパネルモニタ３３は、カラオケ装置２の操作部、あるいは、リモコン装置１のタッチパネルモニタ１１などと同様、入力部として機能する。ユーザは、タッチパネルモニタ３３にて楽曲を選択することで、直接カラオケ装置２に予約をさせるなど、カラオケ装置２に対する各種操作を行うことが可能である。
【００２８】
さらに、カラオケ装置２は、各構成を統括して制御するためのＣＰＵ３０、各種プログラムを実行するにあたって必要となる情報を一時記憶するためのメモリ２７を備えて構成される。
【００２９】
さらに、カラオケ装置２には、撮影を行うための外部機器としてカメラ４４が接続されている。カメラ４４からのカメラ映像は、映像入出力を担う映像制御部３１を介して、記録手段としてのハードディスク３２に記録、そして、モニタ４１にリアルタイム表示することが可能である。さらに、カメラ４４からの映像情報と一緒に、予め記録している歌唱相手の録画情報をモニタ４１に表示させることが可能である。
【００３０】
このような構成にてカラオケ装置２は、各種処理を実行することとなるが、カラオケ装置２の主な機能として、楽曲予約処理、楽曲再生処理などを実行可能としている。楽曲予約処理は、ユーザからの指定に基づいて楽曲を指定、予約するための処理であってリモコン装置１と連携して実行される。ユーザの操作により、リモコン装置１などの入力部で指定された予約情報をメモリ２７中の予約テーブルに登録する。楽曲再生処理は、予約された楽曲を再生させる処理であって、楽曲演奏処理と歌詞再生処理とが同期して実行される処理である。
【００３１】
楽曲演奏処理は、楽曲情報に含まれる演奏情報に基づき、音響制御部２５に演奏を実行させる処理である。音響制御部２５にて演奏された楽曲は、マイクロホン４３から入力される歌唱音声と一緒にスピーカ４２から放音される。歌詞再生処理は、楽曲情報に含まれる歌詞情報をモニタ４１に表示させることで歌唱補助を行う処理である。この歌詞再生処理で表示される歌詞に、背景映像を重畳させて表示させる背景映像表示処理を実行することとしてもよい。
【００３２】
一方、リモコン装置１は、歌唱する楽曲を選択する選曲処理を実行可能とし、予約情報などカラオケ装置２に対して各種指示を送信可能としている。また、リモコン装置１は、カラオケ装置２あるいはインターネット上に接続された第１サーバ装置５から各種情報を受信し、ユーザに対して各種情報を提供することも可能である。本実施形態では、ユーザから各種指示を受け付けるユーザインターフェイスとして、操作部１７と、タッチパネルモニタ１１を備えている。タッチパネルモニタ１１は、表示部１１ａとタッチパネル１１ｂを有して構成され、表示部１１ａに各種インターフェイスを表示するとともに、ユーザからのタッチ入力を受付可能としている。
【００３３】
さらにリモコン装置１は、楽曲検索に必要とされるデータベース、各種プログラム、並びに、プログラム実行に伴って発生する各種情報を記憶する記憶部として、メモリ１４、そして、これら構成を統括して制御するためのリモコン側制御部を備えて構成される。リモコン側制御部には、ＣＰＵ１５、タッチパネルモニタ１１に対して表示する映像を形成する映像制御部１３、表示する映像情報を一時的に蓄えるビデオＲＡＭ１２、タッチパネルモニタ１１あるいは操作部１７からの入力を解釈してＣＰＵ１５に伝える操作処理部１８が含まれている。
【００３４】
また、リモコン装置１は、無線ＬＡＮ通信部１６によって、アクセスポイント１１０と無線接続されることで、ＬＡＮ１００によって構成されるネットワークに接続される。なお、各リモコン装置１は、特定のカラオケ装置２に対して事前に対応付けされている。リモコン装置１から出力される各種命令は、対応付けされたカラオケ装置２にて受信される。
【００３５】
このようなリモコン装置１の構成により、ユーザからの各種入力をタッチパネルモニタ１１、あるいは、操作部１７から受付けるとともに、映像情報をタッチパネルモニタ１１に表示することで、カラオケ装置２に対して楽曲予約などの各種指示を行うことが可能とされている。
【００３６】
次に、本発明においてユーザが所持する携帯端末６について説明する。本実施形態のカラオケシステムは、ユーザが所持する携帯端末６と対応付けることで、携帯端末６とカラオケ装置２とを通信接続し、携帯端末６から楽曲を予約する等、対応付けられたカラオケ装置２を遠隔操作することが可能となっている。
【００３７】
図３は、本発明の実施形態に係る携帯端末６の構成を示す図である。この携帯端末６としては、スマートフォン、タブレット端末、携帯電話等を使用することが可能である。この携帯端末６に、本発明に係るプログラム（アプリ）をインストールし、プログラム上において対応付け処理（紐付け処理とも呼ぶことがある）を実行することで、携帯端末６をカラオケ装置２のリモコンとして使用することが可能となる。
【００３８】
本実施形態の携帯端末６は、制御部６１、ＲＡＭ６２、記憶部６３、画像処理部６４、音響処理部６６を含んで構成された制御手段を有している。記憶部６３には、ハードディスク、ＮＡＮＤ型フラッシュメモリ等の不揮発性の記憶手段を採用することが可能である。この記憶部６３には、本実施形態における投稿処理を実行可能なプログラム、そして、当該プログラムで使用する各種データが記憶される。
【００３９】
制御部６１は、ＣＰＵ等、携帯端末６全体を統括して制御する手段であり、記憶部６３に記憶されたプログラム、データに基づいて各種制御を実行する。ＲＡＭ６２には、制御部６１の制御によって生成されたデータを一時的に格納する。
【００４０】
音響処理部６６は、携帯端末６の音響関係の入出力を行う手段である。制御部６１の制御によりスピーカ６７ａに放音させる手段である。また、音響処理部６６は、マイクロホン６７ｂと接続され、マイクロホン６７ｂから周囲の音声を取り込み可能としている。
【００４１】
タッチパネル表示部６８は、画像を表示する表示部６８ｂとその表面あるいは裏面に配設されるタッチパネル６８ａを有して構成されている。タッチパネル６８ａには、静電容量方式などユーザのタッチ位置を認識可能とする各種タイプを採用することが可能である。制御部６１は、表示部６８ｂに表示を行うとともに、タッチパネル６８ａからのタッチ入力にて、表示させている画像中のどの部分にタッチ入力されたかを判定することが可能である。
【００４２】
画像処理部６４は、携帯端末６の画像関係の入出力を行う手段である。画像処理部６４は、制御部６１で形成された画像情報を表示部６８ｂに表示出力する。また画像処理部６４は、携帯端末６の前面（タッチパネル表示部６８側）に配置されたフロントカメラ６５Ｆ、もしくは、携帯端末６の背面に配置されたリアカメラ６５Ｒから画像を取り込む機能を有する。
【００４３】
本実施形態の携帯端末６は、外部と通信を行うため、携帯網通信部６９ａと、無線ＬＡＮ通信部６９ｂを備えている。携帯網通信部６９ａは、携帯無線網を介した無線通信を行うことが可能であり、無線基地局と無線通信することで、通話、あるいは、インターネットを使用した通信を行うことが可能である。無線ＬＡＮ通信部６９ｂは、ＬＡＮ上に接続されたアクセスポイントに無線接続することで無線ＬＡＮ通信を行うことが可能である。アクセスポイントに無線接続することで、ＬＡＮ上のネットワーク、あるいは、インターネットに通信接続することが可能である。
【００４４】
携帯端末６は、このような携帯網通信部６９ａ、あるいは、無線ＬＡＮ通信部６９ｂを使用して、インターネット上のサーバから投稿処理を実行可能なプログラムを含む各種プログラム（「アプリ」とも呼ばれる）をダウンロードすることが可能である。なお、プログラムは、通信回線を利用した形態以外に、外部メモリ接続端子７２に接続された外部メモリＥＸからインストールすることとしてもよい。なお、このような携帯網通信部６９ａ、無線ＬＡＮ通信部６９ｂ以外に、近距離通信手段（赤外線通信、Ｂｌｕｅｔｏｏｔｈ（登録商標）など）をさらに設けることとしてもよい。
【００４５】
本実施形態の携帯端末６は、入力手段としてタッチパネル６８ａ以外に入力スイッチ７０を備えて構成されている。この入力スイッチ７０には、電源スイッチ、音量調整スイッチ、実行するプログラムによって入力用途が変更されるスイッチ等、各種スイッチを設けることが可能である。
【００４６】
本実施形態の携帯端末６は、カラオケ業者が提供するプログラムをインストール、実行することで、携帯端末６と操作対象となるカラオケ装置２とを対応付け、携帯端末６からカラオケ装置２に対して楽曲の予約コマンド等、各種コマンドを送信することを可能としている。
【００４７】
図２で説明したカラオケ店舗に設置されるカラオケシステムにおいて、カラオケ店舗に来店したユーザは、自己の所持する携帯端末６を使用対象となるカラオケシステムのリモコンとして機能させることを可能としている。そのため、本実施形態のカラオケ管理システムでは、ユーザが所持する携帯端末６と、使用対象となるカラオケシステムを対応付ける対応付け処理を行う。
【００４８】
では、携帯端末６をカラオケ装置２のリモコンとして機能させるための対応付け処理の一例を紹介する。なお、対応付け処理には、ここで紹介する例の他に各種形態が存在する。本発明では、ユーザが所持する携帯端末６と使用対象となるカラオケシステムとを対応付ける対応付け処理であれば、様々な形態の対応付け処理を採用できるものであって、利用通信環境や、第１サーバ装置５の使用有無等の各種条件を問うものではない。
【００４９】
図４には、本実施形態のカラオケ管理システムにおける対応付け処理を示すフロー図が示されている。また、図５には、カラオケ管理システムにおける対応付け処理を示す模式図が示されている。本実施形態の対応付け処理は、ユーザが使用対象となるカラオケシステムにログインするとともに、同じアカウントを使用して携帯端末６でログインすることでユーザの携帯端末６とカラオケシステムとの対応付けを行うこととしている。
【００５０】
カラオケ店舗に来店したユーザは、リモコン装置１等の入力手段を使用して、自分のアカウント情報を入力する。カラオケシステムは、アカウント情報の入力に基づき、第１サーバ装置５に対して装置側ログイン要求を送信する（Ｓ３０１）。なお、この装置側ログイン要求には、どのカラオケシステムからの要求であるかを特定するため、カラオケ装置ＩＤ（カラオケ装置識別情報）が含まれている。装置側ログイン要求を受信（Ｓ２０１）した第１サーバ装置５は、受信した端末側ログイン要求に含まれるアカウント情報を利用して認証を行う（Ｓ２０２）。認証は、アカウント情報に含まれるユーザＩＤとパスワードの対が、第１サーバ装置５側の記憶部５１に記憶しているものと一致するか否かで行われる。認証に成功した場合（Ｓ２０３：Ｙｅｓ）、要求のあったカラオケシステムに対してログイン完了を通知する（Ｓ２０４）。ログインが完了したカラオケシステムでは、ログインしたユーザに対応するユーザ情報を使用した各種サービスを受けることが可能となる（Ｓ３０２）。一方、認証に失敗した場合（Ｓ２０３：Ｎｏ）には、第１サーバ装置５は、要求のあったカラオケシステムに対して認証エラー情報を送信する。
【００５１】
第１サーバ装置５は、カラオケシステムからのログインに成功した場合、記憶部５１に記憶している対応付けテーブルにカラオケ装置ＩＤとユーザＩＤとを追加する（Ｓ２０５）。この対応付けテーブルにて、第１サーバ装置５側では、どのユーザがどのカラオケシステムにログインしているかを判別することが可能となる。
【００５２】
一方、ユーザは、自分が所持する携帯端末６において、プログラムを起動し、端末側ログイン要求を第１サーバ装置５に送信する（Ｓ１０１）。この端末側ログイン要求には、ユーザのアカウント情報（ユーザＩＤとパスワード）が含まれている。端末側ログイン要求を受信した第１サーバ装置５は、装置側ログイン要求の場合と同様、受信した端末側ログイン要求に含まれるアカウント情報を利用して認証を行う（Ｓ２０６）。認証に成功した場合（Ｓ２０７：Ｙｅｓ）、第１サーバ装置５は、記憶部５１に記憶している対応付けテーブルに、端末側ログイン要求を行ったユーザのユーザＩＤがあるか否かを判定し、当該ユーザＩＤが有る場合（Ｓ２０８：Ｙｅｓ）、端末側ログイン要求でログインした携帯端末６と、装置側ログイン要求でログインしたカラオケシステムとの対応付けを完了する（Ｓ２０９）。そして、端末側ログイン要求のあった携帯端末６に対応付け完了通知を送信する（Ｓ２１０）。対応付けの完了した携帯端末６では、対応付けられたカラオケシステムを遠隔操作する遠隔操作処理（Ｓ１１０）が実行可能となる。
【００５３】
以上、本実施形態の、携帯端末６をカラオケ装置２のリモコンとして機能させるための対応付け処理について説明を行ったが、装置側ログイン要求と端末側ログイン要求は、どちらが先にあるかを問うものではない。次に、対応付けられた携帯端末６において実行される遠隔操作処理（Ｓ１１０）の詳細について説明を行う。
【００５４】
図６は、本実施形態のカラオケ管理システムにおける遠隔操作処理を示すフロー図であり、図７は、本実施形態のカラオケ管理システムにおける遠隔操作処理を示す模式図である。図７の模式図の例に示されるように、ユーザ（ユーザＡ）が所持する携帯端末６と、当該ユーザが使用対象とするカラオケ装置２（カラオケ装置ａ）と、が対応付けられたカラオケ管理システムでは、携帯端末６からカラオケシステムに対して、楽曲の予約等、カラオケシステムを遠隔操作するためのコマンドなど、各種情報を送信することが可能である。
【００５５】
遠隔操作処理は、対応付け処理の完了後、後述するＳ４０１〜Ｓ４０３の処理を繰り返し実行することで、携帯端末６によるカラオケシステムの操作を行う。図８には、携帯端末６のタッチパネル表示部６８に表示される楽曲確認画面が示されている。楽曲確認画面は、ユーザにより指定された楽曲名、歌手名等に基づいて指定された楽曲の詳細を示す画面であり、ユーザは楽曲確認画面にて楽曲を予約することが可能である。楽曲確認画面には、歌手名、曲名、歌い出し、楽曲に関するサムネイル画像といった楽曲関連情報６０１の他、キー設定欄、コラボ設定欄、コラボ使用ファイル設定欄を設定可能な再生設定欄６０２が表示される。キー設定は、予約する楽曲のキー（音程）を設定する欄である。このキー設定欄を操作することで、キーの上下を可能とする子画面が表示され、ユーザは自分の音域に合わせて歌唱する楽曲のキー設定を行うことが可能である。
【００５６】
コラボ設定欄は、コラボ（コラボレーションの略）、すなわち、楽曲再生時に録音した歌唱音声、撮影した映像（図１：第２投稿情報に相当）をサーバ装置に投稿するか否かを設定する欄である。コラボ設定欄では、ユーザの操作に応じて「する」、「しない」の選択を行うことが可能である。また、コラボ設定欄で「する」を設定した場合には、第１サーバ装置５から、予約対象となる楽曲に対応する複合投稿情報に関するリストを取得し、複合投稿情報を選択することで、コラボの対象となる複合投稿情報を選択することが可能である。コラボ使用ファイル欄は、携帯端末６に記憶しているユーザコンテンツ（図１：第１投稿情報に相当）を設定する欄である。ユーザは、コラボを行う場合、このコラボ使用ファイル欄を選択することで、コラボ時に使用するユーザコンテンツを選択することが可能である。ユーザコンテンツとしては、ユーザが携帯端末６を使用して撮影した動画情報、静止画情報、音声情報の他、外部から携帯端末６に取り込んだ動画情報、静止画情報、音声情報等、各種コンテンツを使用することが可能である。
【００５７】
以上説明した楽曲確認画面において、ユーザは楽曲関連情報６０１を使用して予約する楽曲を確認するとともに、再生設定欄６０２を使用して、再生時に関する各種設定を行うことが可能である。確認、設定を行ったユーザは、予約ボタン６０３を操作することで、表示されている楽曲を対応付けられたカラオケ装置２に予約を行う。予約を行うことで、携帯端末６から、予約した楽曲を示す楽曲識別情報、及び、再生時の各種設定に関する設定情報を含む予約情報が、第１サーバ装置５を経由してカラオケ装置２に送信される。なお、カラオケシステムには、各種操作を行うリモコン装置１も設けられているため、ユーザは、リモコン装置１を使用して、上述した携帯端末６と同様の楽曲予約を行うことが可能である。
【００５８】
図６に示す遠隔処理において、携帯端末６では、図８の楽曲確認画面上、予約ボタン６０３をタッチ操作する等の行為により、コマンド入力があったことを判定した場合（Ｓ４０１：Ｙｅｓ）、第１サーバ装置５に対して送信コマンド情報を送信する（Ｓ４０２）。送信コマンド情報には、コマンド入力に対応するコマンド（コマンドＡ）と、携帯端末６に記憶しているユーザＩＤ（ユーザＡ）が含まれている。
【００５９】
図７に示す第１サーバ装置５は、対応付けテーブルに基づいて転送処理を実行する。転送処理では、まず、対応付けテーブル上に、携帯端末６から送られてきた送信コマンド情報内のユーザＩＤ（ユーザＡ）が存在するか否かを判定する。対応付けテーブル上に、送信コマンド情報内のユーザＩＤがある場合、転送対象となるカラオケ装置２に対して転送コマンド情報を送信する。転送コマンド情報には、送信コマンド情報内のコマンド（コマンドＡ）と、宛先としてのカラオケ装置ＩＤ（カラオケ装置ａ）と、コマンドを入力したユーザのユーザＩＤ（ユーザＡ）が含まれている。転送コマンド情報を受信したカラオケ装置２（カラオケ装置ａ）は、転送コマンド情報に含まれるコマンド（コマンドＡ）に従って処理を実行する。
【００６０】
携帯端末６を使用した遠隔操作処理は、携帯端末６において終了指示（ログアウト、あるいは、対応付け解除の指示）が入力される（Ｓ４０３：Ｙｅｓ）まで、繰り返し実行される。終了指示が入力された場合（Ｓ４０３：Ｙｅｓ）、携帯端末６は、第１サーバ装置５に対応付け解除指示を送信する（Ｓ４０４）。対応付け解除指示を受信した第１サーバ装置５は、対応付けテーブルから該当する項目（カラオケ装置ＩＤとユーザＩＤの対）を削除する。
【００６１】
このように本実施形態では、ユーザがログインしたカラオケシステム、あるいは、携帯端末から、使用対象となるカラオケシステムに対する遠隔操作を行うことが可能である。では、ユーザがログインしたカラオケシステムにおいて、カラオケ装置２で行われるメイン処理について、図９、図１０を用いて説明を行う。
【００６２】
カラオケ装置２におけるメイン処理では、まず、予約リストに記憶された予約情報を確認し、次に再生すべき予約情報がある場合、予約情報中の設定に基づき、コラボ設定のある予約であるか（Ｓ５０１：コラボ予約）、コラボ設定の無い予約であるか（Ｓ５０１：通常予約）を確認する。通常予約の場合は、予約情報中に指定された楽曲を再生する通常楽曲再生（Ｓ５０６）が実行される。一方、コラボ予約の場合には、楽曲の再生前に準備処理（Ｓ５０２〜Ｓ５０５）を実行する。この準備処理では、予約情報中に複合投稿情報が指定された２番目以降の投稿（第２投稿）か、複合投稿情報が指定されていない初回の投稿（第１投稿）かが判定される（Ｓ５０２）。第１投稿では無い場合（Ｓ５０２）、カラオケ装置２は、予約情報中に指定されている複合投稿情報を、第１サーバ装置５からダウンロードする（Ｓ５０３）。次に、予約情報中にユーザコンテンツの使用が指定されているか否かが判定される（Ｓ５０４）。ユーザコンテンツの使用が指定されている場合（Ｓ５０４：Ｙｅｓ）カラオケ装置２に対応付けられた携帯端末６からユーザコンテンツを受信する。なお、本実施形態の携帯端末６は、第１サーバ装置５を介してカラオケ装置２と対応付けられているため、カラオケ装置２におけるユーザコンテンツの受信は、第１サーバ装置５を介して行われる。
【００６３】
本実施形態では、楽曲再生の直前に準備処理（Ｓ５０２〜Ｓ５０５）を実行することとしているが、準備処理は、楽曲が予約後から楽曲再生前までの期間を利用して行うこととしてもよい。事前に複合投稿情報やユーザコンテンツを受信しておくことで、受信期間を待たずに、楽曲再生を開始することが可能となる。準備期間における各処理の完了後、予約情報中に指定された楽曲の再生が開始される（Ｓ５０７）。コラボ実行時には、カメラ４４を使用した撮影が開始される（Ｓ５０９）。また、楽曲再生中には、カメラ４４で撮影中の映像、ダウンロードした複合投稿情報、ユーザコンテンツを使用した映像再生処理（Ｓ５０９）が実行される。
【００６４】
図１１には、映像再生処理（Ｓ５００）時のモニタ４１の様子が示されている。この例は、ユーザが２番目にコラボを行った場合であって、かつ、携帯端末６に記憶するユーザコンテンツを使用した場合が示されている。したがって、ダウンロードした複合投稿情報中には以前に投稿した１人のユーザの歌唱音声、及び、歌唱の様子を撮像した映像が含まれている。なお、本明細書では、１人による投稿であっても複合投稿情報という用語を使用する。モニタ４１には、第１投稿表示領域Ｃ１、撮像表示領域Ｂ２、ユーザコンテンツ表示領域Ｙ１が設けられている。また、画面には歌唱補助のために表示される歌詞表示Ｅが重畳されて表示される。第１投稿表示領域Ｃ１には、複合投稿情報に含まれる映像が表示される。そして、撮像表示領域Ｂ２には、カメラ４４で撮影中の映像がリアルタイムで表示される。なお、本実施形態では、第１投稿表示領域Ｃ１に表示される映像、撮像表示領域Ｂ２に表示される映像を左右反転して表示している。モニタ４１を視認しながら歌唱するユーザは、撮像表示領域Ｂ２に自己の姿が鏡像表示されることで、視認上の違和感を抑えることが可能となっている。また、再生時には、両映像を左右反転して、その位置を変更することで、撮像時の状態を再現することが可能である。
【００６５】
楽曲の再生が終了したことが判定される（Ｓ５１０：Ｙｅｓ）と、カメラ４４を使用した録画を終了する（Ｓ５１３）。カメラ４４に録画された映像、歌唱時の音声は、単位投稿情報として、カラオケ装置２に一時記憶される。本実施形態では、投稿前に単位投稿情報を試聴することが可能となっている。試聴の実行が選択された場合（Ｓ５１２：Ｙｅｓ）には、試聴処理（Ｓ５１３）が実行される。本実施形態では、カラオケ業者が運営、管理する第１サーバ装置５と、それ以外の第２サーバ装置をアップロード先として選択することが可能となっている。特に、コラボに使用した他のユーザの映像、音声を、第２サーバ装置にアップロードすることは、ユーザの許可も得られていないことを理由として、第１サーバ装置５と、それ以外の第２サーバ装置にアップロードする場合において、その内容を異ならせている。試聴処理（Ｓ５１３）では、第１サーバ装置５にアップロードする形態と、第２サーバ装置にアップロードする場合を選択し、それぞれの場合での映像、音声の確認を行うことが可能である。
【００６６】
図１２には、第１サーバ装置５にアップロードされた場合の再生画面が示されている。第１サーバ装置５は、カラオケ業者によって管理、運営されるサーバ装置であるため、前に撮像したユーザに対しても、音声、映像を公開する許可が得られている。したがって、第１サーバ装置５にアップロードされた際に形成される映像は、映像再生処理（Ｓ５０９）と同じ内容を含んでいる。すなわち、第１投稿表示領域Ｃ１には、ダウンロードした複合投稿情報に含まれる映像が表示され、第２投稿表示領域Ｃ２には、今回、撮影した映像が表示される。なお、映像再生処理（Ｓ５０９）の場合と比較して、第１投稿表示領域Ｃ１と第２投稿表示領域Ｃ２（撮像表示領域Ｂ２に相当）は、左右反転するとともに、その位置を入れ替えた形態となっている。また、ユーザコンテンツ表示領域Ｙ１には、ユーザが所持する携帯端末６に記憶されるユーザコンテンツが表示される。
【００６７】
一方、図１３には、第２サーバ装置にアップロードされた場合の再生画面が示されている。第２サーバ装置は、ユーザが適宜選択することのできるサーバ装置であって、カラオケ業者の管理下に無いサーバ装置である。そのため、第２サーバ装置にアップロードされた場合に形成される映像には、第１投稿表示領域Ｃ１は含まれず、今回撮像した映像を表示する第２投稿表示領域Ｃ２と、ユーザが所持する携帯端末６に記憶されたユーザコンテンツを表示するユーザコンテンツ表示領域Ｙ１が設けられている。このように、本実施形態では、カラオケ業者によって管理、運営される第１サーバ装置５と、それ以外の第２サーバ装置への投稿に応じて、その投稿内容を異ならせている。特に、第２サーバ装置に対する投稿時には、以前に投稿したユーザの映像、音声をアップロードしないことで、他者の権利保護を図りつつ、投稿先の自由度の向上を図った構成となっている。
【００６８】
試聴処理（Ｓ５１３）の後、ユーザは、投稿先を選択することが可能である。第１サーバ装置５へアップロードする場合（Ｓ５１４：Ｙｅｓ）には、第１アップロード処理（Ｓ５１５）が実行される。第１アップロード処理では、今回、ダウンロードして使用した複合録画情報の識別情報と、今回、新たに、録画、録音して形成した単位投稿情報とを含む第１投稿情報を、第１サーバ装置５に送信する。また、携帯端末６のユーザコンテンツが使用された場合には、使用されたユーザコンテンツも第１投稿情報に含まれることになる。第１投稿情報を受信した第１サーバ装置５では、受信した第１投稿情報と、使用した複合録画情報と、ユーザコンテンツを合成し、あらたな複合投稿情報を形成する。形成された複合投稿情報は、インターネットを介して公開されるとともに、新たなコラボに使用することが可能となる。
【００６９】
一方、第２サーバ装置へアップロードする場合（Ｓ５１６）には、まず、ユーザから第２サーバ装置の指定を受け付ける。第２サーバ装置は、ユーザが事前にアカウントを取得している動画投稿サービスに対応したサーバ装置であって、第２サーバ装置の指定では、動画投稿サービスを選択した上で、ユーザ識別情報、パスワード等を含むアカウントを入力することで、第２サーバ装置へのアクセスを可能な状態とする。その後、第２サーバ装置へ第２投稿情報を送信する第２アップロード処理（Ｓ５１８）を実行する。第２投稿情報には、今回、新たに、録画、録音して形成した単位投稿情報が含まれる。また、携帯端末６のユーザコンテンツが使用された場合には、当該ユーザコンテンツも第２投稿情報に含まれることになる。
【００７０】
以上、カラオケ装置２において実行されるメイン処理について説明を行ったが、投稿時における、カラオケ装置２と周囲構成（第１サーバ装置５、第２サーバ装置、携帯端末６）の処理例について、図１４を用いて説明する。図１４のフロー図中、カラオケ装置２が実行する処理は、メイン処理で行う処理と略同様である。ここでは、第１サーバ装置に記憶する複合投稿情報Ｂと、携帯端末６に記憶するユーザコンテンツＡを使用して投稿を行う場合について説明する。
【００７１】
カラオケ装置２において、ユーザコンテンツＡと複合投稿情報Ｂを使用したコラボ指示を伴う楽曲再生指示があった場合（Ｓ６０１）、カラオケ装置２は、第１サーバ装置から複合投稿情報Ｂを受信するとともに、携帯端末６からユーザコンテンツＡを受信する。なお、本実施形態では、携帯端末６とカラオケ装置２間の情報伝送は、実際には、第１サーバ装置５を経由して行うことになる。楽曲再生の期間中、カラオケ装置２は、楽曲再生に合わせて、カメラ４４による撮影を実行する。また、カラオケ装置２は、図１１で説明した画面構成にて映像の再生を行う（Ｓ６０３）。楽曲再生の終了後（Ｓ６０４：Ｙｅｓ）、第１サーバ装置へのアップロードが選択（Ｓ６０５：Ｙｅｓ）されると、第１サーバ装置５に対し、第１投稿情報を送信する第１投稿処理（Ｓ６０６）を実行する。第１投稿情報には、今回の楽曲再生時に新たに形成した単位投稿情報と、使用した複合投稿情報Ｂの識別情報Ｂと、ユーザコンテンツＡが含まれている。第１投稿情報を受信した第１サーバ装置５は、受信した第１投稿情報に含まれる単位投稿情報と、複合投稿情報Ｂと、ユーザコンテンツＡを使用して、図１２で説明した画面構成の複合投稿情報Ｂ’を形成（Ｓ６１１）して、第１サーバ装置５内のデータベースに記憶する。
【００７２】
一方、第２サーバ装置へのアップロードが選択された場合（Ｓ６０７：Ｙｅｓ）には、ユーザを第２サーバ装置に対応する動画投稿サービスを選択、ログインさせることで、カラオケ装置２を第２サーバ装置と通信可能な状態にする（Ｓ６０８）。本実施形態では、第２サーバ装置において、複数の動画情報を合成する機能を有していないことを前提としている。そのため、第２サーバ装置にアップロードする第２投稿情報は、今回、新たに撮影した単位投稿情報とユーザコンテンツＡを、カラオケ装置２において合成することとしている（Ｓ６０９）。第２投稿情報における合成の形態は、図１３で説明した画面構成である。第２サーバ装置は、受信した第２投稿情報を公開用投稿情報Ｃとして記憶する。
【００７３】
なお、第２サーバ装置へのアップロード形態は、この例に限られるものではなく、各種形態を採用することができる。図１５は、第２サーバ装置への投稿に関する変形例を示したものであり、図１４中、破線で囲われた部分の代替処理である。図１４の例では、カラオケ装置２で合成した上で、第２サーバ装置にアップロードする形態としていたが、カラオケ装置２から送信する第２投稿情報は、合成前の単位投稿情報とユーザコンテンツＡを含んだ構成としてもよい。図１５（Ａ）の例では、第２サーバ装置では、受信した単位投稿情報とユーザコンテンツＡを合成した上で、公開用投稿情報Ｃとして記憶する。あるいは、ユーザコンテンツＡは、携帯端末６から送信することとしてもよい。図１５（Ｂ）の例では、カラオケ装置２から第２サーバ装置に単位投稿情報を送信し、携帯端末６から第２サーバ装置にユーザコンテンツＡを送信する形態を採用している。この場合、例えば、単位投稿情報中に、使用したユーザコンテンツＡを特定可能な識別情報（ファイル名など）を記述しておく。第２サーバ装置では、単位投稿情報に対応するユーザコンテンツＡを判定して合成し、公開用投稿情報Ｃとして記憶する。
【００７４】
以上、本発明に関する実施形態について説明したが、上述した実施形態に限られるものではなく、各種変形例を採用することが可能である。たとえば、本実施形態では、カラオケ装置２と携帯端末６の対応付けについて、第１サーバ装置５を経由した形態を説明したが、カラオケ装置２と携帯端末６の対応付けは、無線ＬＡＮなどの通信手段を介して直接行うこととしてもよい。この場合、携帯端末６は、カラオケシステム中のアクセスポイント１１０に通信接続することとなる。
【００７５】
また、本実施形態では、第２サーバ装置は、動画投稿サービスを提供するサーバ装置として説明したが、第２サーバ装置としては、動画投稿サービスを行うサーバ装置のみならず、個人のファイルを記憶管理するクラウド型のファイル管理サービスを提供するサーバ装置であってもよい。
【００７６】
また、本実施形態では、携帯端末６に記憶するユーザコンテンツを使用した場合、第１サーバ装置５、第２サーバ装置において、当該ユーザコンテンツをアップロードする形態としているが、ユーザコンテンツは使用許諾を必要とする場合があり、広く公開するとともに、更なる投稿に使用する第１サーバ装置５へのアップロードには適さない場合がある。そのため、使用したユーザコンテンツについては、第１サーバ装置にはアップロードしない（第２サーバ装置にはアップロード可能）としてもよい。
【符号の説明】
【００７７】
１（１ａ、１ｂ）：リモコン装置             ３５：表示部
２：カラオケ装置                           ４１：モニタ
５：第１サーバ装置                         ４２：スピーカ
６：携帯端末                               ４３：マイクロホン
１１：タッチパネルモニタ                   ４４：カメラ
１１ａ：表示部                             ５１：記憶部
１１ｂ：タッチパネル                       ６１：制御部
１２：ビデオＲＡＭ                         ６２：ＲＡＭ
１３：映像制御部                           ６３：記憶部
１４：メモリ                               ６４：画像処理部
１５：ＣＰＵ                               ６５Ｆ：フロントカメラ
１６：無線ＬＡＮ通信部                     ６５Ｒ：リアカメラ
１７：操作部                               ６６：音響処理部
１８：操作処理部                           ６７ａ：スピーカ
２１：操作部                               ６７ｂ：マイクロホン
２２：操作処理部                           ６８：タッチパネル表示部
２４：ＬＡＮ通信部                         ６８ａ：タッチパネル
２５：音響制御部                           ６８ｂ：表示部
２７：メモリ                               ６９ａ：携帯網通信部
２８：ビデオＲＡＭ                         ６９ｂ：無線ＬＡＮ通信部
２９：映像再生部                           ７０：入力スイッチ
３０：ＣＰＵ                               ７２：外部メモリ接続端子
３１：映像制御部                           １１０：アクセスポイント
３２：ハードディスク                       ６０１：楽曲関連情報
３３：タッチパネルモニタ                   ６０２：再生設定欄
３４：タッチパネル                         ６０３：予約ボタン
【図１】
0006507793.tif 000002
【図２】
0006507793.tif 000003
【図３】
0006507793.tif 000004
【図４】
0006507793.tif 000005
【図５】
0006507793.tif 000006
【図６】
0006507793.tif 000007
【図７】
0006507793.tif 000008
【図８】
0006507793.tif 000009
【図９】
0006507793.tif 000010
【図１０】
0006507793.tif 000011
【図１１】
0006507793.tif 000012
【図１２】
0006507793.tif 000013
【図１３】
0006507793.tif 000014
【図１４】
0006507793.tif 000015
【図１５】
0006507793.tif 000016